(57)【要約】予防装置（10）は、股部分（50）を有するパンティー（20）および股部分に配置された細長い小袋（30）を含む。小袋は弾性材料から作製され、かつパンティおよび小袋は一体的に形成される。小袋は縦ひだ（60）を有することができ、かつ、パンティーの内部は、使用者におけるパンティーの位置あわせを容易にするために配置された複数の隆起した突起物（70S、70F、70R）を有することができる。パンティーの背面部分は、パンティーが使用構造にある場合に使用者の背部の形状に合致するように内側に曲線を描くよう構成された造形部分（80）を有することができる。本予防装置は、浸漬工程により製造することができ、これにより、パンティーよりも厚い小袋を備えた装置がもたらされる。2007512887.tif 000003
2007512887.tif 000002
【特許請求の範囲】
【請求項１】
股部分を備えたパンティー；および
股部分に配置された細長い小袋
を含む予防装置であって、パンティーが小袋よりも厚い、予防装置。
【請求項２】
パンティーの厚さが約14〜18mil（0.36〜0.46mm）である、請求項1記載の予防装置。
【請求項３】
小袋が少なくとも二層のラテックスを含む、請求項1または2記載の予防装置。
【請求項４】
小袋の厚さが約8〜10mil（0.20〜0.25mm）である、請求項1〜3のいずれか一項記載の予防装置。
【請求項５】
パンティーおよび小袋が一体的に形成される、前記請求項のいずれか一項記載の予防装置。
【請求項６】
予防装置を製造するための方法であって、以下の段階を含む方法:
パンティー鋳造物（casting）を製造するよう構成された部分および小袋鋳造物を製造するよう構成された部分を有する、鋳造物用の型を提供する段階であって、パンティー鋳造物が股部分を有し、かつ小袋鋳造物がパンティー鋳造物の股部分に配置されている、段階；
小袋鋳造物部分およびパンティー鋳造物部分が第一の凝集剤中に沈むまで型を第一の凝集剤に浸漬する段階；
小袋鋳造物部分が第二の凝集剤中に沈むまで型を第二の凝集剤に浸漬する段階；
小袋鋳造物部分およびパンティー鋳造物部分がラテックス中に沈むまで型をラテックスに浸漬する1回目の段階；
小袋鋳造物部分がラテックス中に沈むまで型をラテックスに浸漬する2回目の段階；ならびに
型から鋳造物を取り出す段階。
【請求項７】
型を第一の凝集剤に浸漬する段階の後に、第一の凝集剤から型を取り出して、型を乾燥段階に供する段階をさらに含む、請求項6記載の方法。
【請求項８】
型を第二の凝集剤に浸漬する段階の後に、第二の凝集剤から型を取り出して、型を乾燥段階に供する段階をさらに含む、請求項6または7記載の方法。
【請求項９】
型をラテックスに浸漬する1回目の段階の後に、ラテックスから型を取り出して、型を乾燥段階に供する段階をさらに含む、請求項6〜8のいずれか一項記載の方法。
【請求項１０】
型をラテックスに浸漬する2回目の段階の後に、ラテックスから型を取り出して、型を乾燥段階に供する段階をさらに含む、請求項6〜9のいずれか一項記載の方法。
【請求項１１】
型を浸出工程に供する段階をさらに含む、請求項6〜10のいずれか一項記載の方法。
【請求項１２】
型を硬化段階に供する段階をさらに含む、請求項6〜11のいずれか一項記載の方法。
【請求項１３】
鋳造物の外側部分に粉末を置く段階をさらに含む、請求項6〜12のいずれか一項記載の方法。
【請求項１４】
鋳造物の内側部分へ粉末を導入する段階をさらに含む、請求項6〜13のいずれか一項記載の方法。
【請求項１５】
第一の凝集剤および第二の凝集剤が液体を含む、請求項6〜14のいずれか一項記載の方法。
【請求項１６】
ラテックスが液体を含む、請求項6〜15のいずれか一項記載の方法。
【請求項１７】
第一の凝集剤および第二の凝集剤がラテックスの付着を促進するよう配合されている、請求項6〜16のいずれか一項記載の方法。
【請求項１８】
浸出工程が、型を水中に浸漬する段階を含む、請求項11記載の方法。
【請求項１９】
型が、パンティー鋳造物を製造するよう構成された型の部分に配置された複数のくぼみを含み、かつ、複数の隆起した突起物がパンティー鋳造物上に形成されるように、くぼみが、型が浸漬された時にラテックスの流れを受けるよう構成されている、請求項6〜18のいずれか一項記載の方法。
【請求項２０】
股部分を備えたパンティー；および
股部分に配置された細長い小袋
を含む予防装置であって、パンティーの内側に、使用者におけるパンティーの位置あわせを容易にするために配置された複数の隆起した突起物を有する、予防装置。
【請求項２１】
隆起した突起物が円形である、請求項20記載の予防装置。
【請求項２２】
隆起した突起物が集まってパターンを形成する、請求項20または21記載の予防装置。
【請求項２３】
隆起した突起物が、パンティーの股部分よりもパンティーのウエストバンドの方により近く配置されている、請求項20〜22のいずれか一項記載の予防装置。
【請求項２４】
パンティーが横軸を含み、かつ、パンティーが、横軸に沿ってパンティーの第一の側面に配置された隆起した突起物の第一のパターン、および、横軸に沿ってパンティーの第二の側面に配置された隆起した突起物の第二のパターンを有する、請求項20〜23のいずれか一項記載の予防装置。
【請求項２５】
パンティーが横軸を有し、かつ、パンティーが、横軸前方のパンティ正面に配置された隆起した突起物の第一および第二の正面パターンを有する、請求項20〜24のいずれか一項記載の予防装置。
【請求項２６】
隆起した突起物の第一の正面パターンが、正面部分の中間点と横軸がパンティーの第一の側面と交差する点とから等距離に配置され、かつ、隆起した突起物の第二の正面パターンが、正面部分の中間点と横軸がパンティーの第二の側面と交差する点とから等距離に配置されている、請求項25記載の予防装置。
【請求項２７】
パンティーが横軸を有し、かつ、パンティーが、横軸後方のパンティー背面に配置された隆起した突起物の第一および第二の背面パターンを有する、請求項20〜26のいずれか一項記載の予防装置。
【請求項２８】
隆起した突起物の第一の背面パターンが、背面部分の中間点と横軸がパンティの第一の側面と交差する点とから等距離に配置され、かつ、隆起した突起物の第二の背面パターンが、背面部分の中間点と横軸がパンティーの第二の側面と交差する点とから等距離に配置される、請求項27記載の予防装置。
【請求項２９】
パンティーおよび小袋が一体的に形成される、請求項20〜28のいずれか一項記載の予防装置。
【請求項３０】
パンティの厚さが小袋の厚さを上回る、請求項20〜29のいずれか一項記載の予防装置。
【請求項３１】
予防装置が、造形部分を有する背面部を有し、かつ、造形部分が、パンティーが使用構造にある場合に使用者の背部の形状に合致するように内側に曲線を描くよう構成されている、請求項20〜30のいずれか一項記載の予防装置。
【請求項３２】
股部分を備えたパンティー；および
股部分に配置された細長い小袋
を含む予防装置であって、パンティーと小袋が一体的に形成され、かつ小袋が弾性材料によって形成されている、予防装置。
【請求項３３】
小袋が、開いた構造から反転構造へと動くよう構成されている、請求項32記載の予防装置。
【請求項３４】
パンティーの厚さが小袋の厚さを上回る、請求項32または33記載の予防装置。
【請求項３５】
パンティーの内部が、使用者におけるパンティーの位置あわせを容易にするために配置された複数の隆起した突起物を有する、請求項32〜34のいずれか一項記載の予防装置。
【請求項３６】
予防装置が、造形部分を有する背面部分を有し、かつ、造形部分が、パンティーが使用構造にある場合に使用者の背部の形状に合致するように内側に曲線を描くよう構成されている、請求項32〜35のいずれか一項記載の予防装置。
【請求項３７】
小袋が、折りたたみ構造から開いた構造へと拡張でき、かつ、小袋が縦ひだを有する、請求項32〜36のいずれか一項記載の予防装置。
【請求項３８】
股部分に配置された開口部をさらに含む予防装置であって、開口部が、使用者のペニスを収容するよう構成されている、請求項32〜37のいずれか一項記載の予防装置。
【請求項３９】
股部分を備えたパンティー；および
股部分に配置された細長い小袋
を含む予防装置であって、パンティーの背面部分が造形部分を有し、かつ、造形部分が、パンティーが使用構造にある場合に使用者の背部の形状に合致するように内側に曲線を描くよう構成されている、予防装置。
【請求項４０】
背面部分が、臀部部分および臀部部分方に配置されたウエスト部分を有し、かつ造形部分がウエスト部分に配置されている、請求項39記載の予防装置。
【請求項４１】
パンティーおよび小袋が一体的に形成されている、請求項39または40記載の予防装置。
【請求項４２】
パンティーの厚さが小袋の厚さを上回る、請求項39〜41のいずれか一項記載の予防装置。
【請求項４３】
股部分を含むパンティー；および
股部分に配置された細長い小袋
を含む予防装置であって、小袋が縦ひだを含む、予防装置。
【請求項４４】
小袋が少なくとも4本の縦ひだを含む、請求項43記載の予防装置。
【請求項４５】
縦ひだが小袋に沿って縦方向に折りたたまれるよう構成されている、請求項43または44記載の予防装置。
【請求項４６】
小袋が、折りたたみ構造から開いた構造へと拡張できる、請求項43〜45のいずれか一項記載の予防装置。
【請求項４７】
小袋が、開いた構造から拡張した構造へと拡張できる、請求項43〜46のいずれか一項記載の予防装置。
【請求項４８】
小袋が、開いた構造から反転構造へと動くよう構成されている、請求項43〜47のいずれか一項記載の予防装置。
【請求項４９】
開いた構造にある小袋が股部分から外側に拡張し、かつ、反転構造にある小袋が股部分から内側に拡張する、請求項48記載の予防装置。
【請求項５０】
パンティーおよび小袋が一体的に形成されている、請求項43〜49のいずれか一項記載の予防装置。
【請求項５１】
パンティーの厚さが小袋の厚さを上回る、請求項43〜50のいずれか一項記載の予防装置。
【請求項５２】
パンティーの内部が、使用者におけるパンティーの位置あわせを容易にするために配置された複数の隆起した突起物を含む、請求項43〜51のいずれか一項記載の予防装置。
【請求項５３】
予防装置が、造形部分を含む背面部分を含み、かつ、造形部分が、パンティーが使用構造にある場合に使用者の背部の形状に合致するように内側に曲線を描くよう構成されている、請求項43〜52のいずれか一項記載の予防装置。
【請求項５４】
小袋部分が、小袋が反転構造にある場合に使用者の膣腔内部に配置されるよう構成されている、前記請求項のいずれか一項記載の予防装置。
【請求項５５】
小袋部分が、小袋が反転構造にある場合に使用者の肛門腔内部に配置されるよう構成されている、前記請求項のいずれか一項記載の予防装置。
【請求項５６】
パンティーが、使用者の臀部および性域を実質的に覆うよう構成されている、前記請求項のいずれか一項記載の予防装置。
【請求項５７】
ラテックスからなる、前記請求項のいずれか一項記載の予防装置。
【請求項５８】
高分子材料からなる、前記請求項のいずれか一項記載の予防装置。
【発明の詳細な説明】
【技術分野】
【０００１】
本発明は、予防用および避妊用の装置に関する。
【背景技術】
【０００２】
避妊のため、ならびに、性感染症（STD）および自己免疫不全症候群（AIDS）の拡大の防止を含む予防のために、性交の際に使用されるコンドームは、伝統的に男性によって装用される。男性用コンドームは従来、液体不浸透性の材料から作製された筒状の小袋であり、こでは、男性から放たれる精液および他の体液を包含するためにペニスに巻かれしっかりと合致している。
【０００３】
しかしながら、適切にコンドームを使用したとしても、パートナー同士が性活動の間に体液を交換することはまだ可能である。このような体液が膣および他の身体部分に接触する場合、STDおよびAIDSの感染が生じる可能性がある。
【０００４】
さらに、従来の男性用コンドームに対して、女性は避妊および予防を制御する能力を欠いている。代わりに、女性は、自発的にコンドームを装用するよう男性パートナーを説得しなければならない。コンドームの装用は時間がかかり、ロマンチックな雰囲気を損ねる可能性がある。さらに、コンドームの使用は感度および性的快感を減ずる可能性がある。したがって、男性パートナーにコンドームの装用を納得させることは難しい場合がある。強姦に関わる状況下では、女性が手許にコンドームを持っていることは可能性がきわめて低く、ましてや女性が強姦者にコンドームの装用を納得させることができる可能性は、更により低い。
【０００５】
女性用コンドームは存在しているが、それらは高価で、使用が難しく、場合によっては性交の際に女性に痛みをもたらす。たとえこのような装置が比較的容易に使用されたとしても、その複雑な構造および結果として生じる高い費用のために、それらは、経済不振国、AIDS発生率の高い国、および／または強姦発生率の高い国には不適当である。
【発明の開示】
【０００６】
本発明の一つの局面は、股部分を備えたパンティーおよび股部分に配置された細長い小袋を有する予防装置に関し、ここで、パンティーは小袋よりも厚い。この点で、パンティーの厚さは、ある態様においては14〜18mil（0.36〜0.46mm）であってよく、小袋の厚さは、ある態様においては8〜10mil（0.20〜0.25mm）であってよい。そのような場合、パンティーと小袋の厚さの比は、実質的に約2:1であってよい。さらに、パンティーの厚さは、ある態様においては14〜16mil（0.36〜0.41mm）、または15〜18mil（0.39〜0.46mm）であってよい。
【０００７】
本発明のもう一つの局面は、予防装置の製造法に関する。本方法は、パンティー鋳造物（casting）部分および小袋鋳造物部分を有する型枠を提供する段階を含む。本方法は、小袋鋳造物部分およびパンティー鋳造物部分が第一の凝集剤中に沈むまで型枠を第一の凝集剤に浸漬する段階、小袋鋳造物部分が第二の凝集剤中に沈むまで型を第二の凝集剤に浸漬する段階、小袋鋳造物部分およびパンティー鋳造物部分がラテックス中に沈むまで型枠をラテックスに浸漬する1回目の段階、小袋鋳造物部分がラテックス中に沈むまで型をラテックスに浸漬する2回目の段階、ならびに、型から鋳造物を取り出す段階を含む。
【０００８】
本発明のもう一つの局面は、股部分を備えたパンティーおよび股部分に配置された細長い小袋を有する予防装置に関し、ここで、パンティーの内部は、使用者におけるパンティーの位置あわせを容易にするための複数の隆起した突起物を有する。
【０００９】
本発明のもう一つの局面は、股部分および股部分に配置された細長い小袋を備えたパンティーを有する予防装置に関する。小袋は弾性材料から作製され、パンティーおよび小袋は一体的に形成される。
【００１０】
本発明のもう一つの局面は、股部分を備えたパンティーおよび股部分に配置された細長い小袋を有する予防装置に関し、ここで、パンティーの後方部分は、パンティーが使用構造にある場合に使用者の背部の形状に合致するように内側に曲線を描くよう構成された造形部分を有する。
【００１１】
本発明のさらにもう一つの局面は、股部分を備えたパンティーおよび股部分に配置された細長い小袋を有する予防装置に関し、ここで、小袋は縦ひだを有する。
【００１２】
前述の一般的な記載および以下の詳細な記載の両方が例示および説明のみのためであり、請求される本発明を制限するものではないことが理解されるべきである。
【００１３】
本明細書に組み入れられてその一部を構成している添付の図面は、本発明の好ましい態様を示し、本記載と共に、本発明の本質を説明するための役割を果たす。
【００１４】
以下、本発明の現在の好ましい態様に対して詳細に言及するが、その例は添付の図面において示されている。同じまたは類似の部分を言及するため、図面全体を通して同じ参照番号を使用するための努力がなされている。
【００１５】
図1〜図3は、女性による使用に適した予防装置10の態様を示す。予防装置10はパンティー20および小袋30を含む。
【００１６】
図1に示すように、パンティー20は従来のパンツに類似した形状を有する。図2に示すように女性使用者がパンティー20を装用できるように、パンティー20は、図1および図3に示すような脚開口部40を含む。図2において最も良く示されているように、パンティー20は、脚開口部40の間に配置された股部分50を有する。図1および図3に示すように、パンティー20は更に、パンティー20の周囲に沿ってパンティー20の上部に配置されたウエストバンド45を含む。パンティー20が使用者の臀部および性域を実質的に覆うように、パンティー20は構成されている。
【００１７】
小袋30は、細長い形状を有し、かつパンティー20の股部分50上に配置されている。小袋30は、図1に示すように小袋30がパンティー20から外側に伸びている開いた構造から、図2に示すように小袋30がパンティーの内側部分に向かって内側に伸びている反転構造へと動くように、構成されている。予防装置10が女性使用者によって装用されると、小袋30は使用者の膣口に実質的に一致する。小袋30は反転構造へと動き、使用者の膣腔に挿入されることができる。挿入された構造で、小袋30は、女性使用者と男性パートナー間の性交の際に男性パートナーのペニスを受けるように適合化される。女性使用者と男性パートナーとの間で体液が交換されないように、小袋30は遮断機能を果たすよう構成されている。
【００１８】
本発明の一つの態様によると、予防装置10が単一の一体化した本体で構成されるように、パンティー20および小袋30が一体的に形成される。この点において、予防装置10は継ぎ目がない。さらに、予防装置10は、流体不透過性の弾性材料から作製される。例えば、予防装置10は、ラテックス、ポリウレタンなどの高分子材料、またはラテックスと高分子材料の組合せから作製されてもよい。予防装置10は弾性材料から作製されているので、予防装置は、任意の性的に成熟した使用者に適合するよう適応することができる。
【００１９】
小袋30は、小袋30の側面に配置された縦ひだ60を含むことができる。例えば、図1および図3に示すように、小袋30は、小袋30の各側面に2本の縦ひだ60を、合計4本の縦ひだ60を含むことができる。しかし、小袋30は、図1および図3で示されたよりも少ないまたは多いひだを含むことができることは理解されよう。これらの縦ひだ60は、細長い小袋30の縦軸にほぼ平行である。図4に示すように、縦ひだ60は、小袋に沿って縦方向に折りたたむよう構成されている。縦ひだ60は、比較的平らでコンパクトな折りたたみ構造（図4に示す）から開いた構造（図1および図3に示す）へと、および、開いた構造から拡張した構造（図5に示す）へと、小袋30が動くことを可能にする。拡張した構造において、小袋30の周囲は標準的な成人ペニスの周囲よりも大きくなり、これにより、小袋30が使用中に膣腔または肛門腔から引き抜かれる可能性が低下する。このように、小袋30は、膣腔または肛門腔の内側を覆うのに十分な大きさであり、かつ、ペニスによって小袋が腔から抜け出ることを妨げるのに十分なくらい緩んでいる。さらに、ひだ60は内側に折りたたまれているため、小袋30のサイズが小さく見え、これにより、予防装置10の外観および全般的な容認可能性が改善される。この点において、縦ひだ60が折りたたみ構造をとる場合、使用者は、パンティー20の隣にさりげなく折り込まれだ小袋30を備えた予防装置10を気楽に装用することができる。また、パンティー20をその前後中線に沿って平らな構造で折りたたむことができ、折りたたまれた小袋30と共に、これにより、製品包装用のコンパクトな配置が作られる。
【００２０】
パンティー20の上方部分は複数の隆起した突出物70S、70F、70Rを含むことができる。隆起した突出物70S、70F、70Rは、股部分50よりも、予防装置10のウエストバンド45の方により近く配置される。隆起した突出物70S、70F、70Rは、例えば図6に示すように、集まってパターンとなることができる。一つの態様では、パンティー20は、ウエストバンド45を広げる際にまたは最適な適合および最大限の快適性のために予防装置10を調整する際に、使用者を助けるように位置する、隆起した突出物70S、70F、70Rの6つのパターンを含むことができる。例えば、図1〜図3および図5に示すように、隆起した突起物70Sの第一のパターンは、パンティーの横軸A-Aに沿ってパンティー20の左側面に位置してもよく、隆起した突起物70Sの第二のパターンは、横軸A-Aに沿ってパンティー20の右側面に位置してもよい。パンティー20はまた、隆起した突起物70Fのパターンを横軸A-Aのパンティー前方の正面に含むことができ、70Fの第一のパターンは、パンティー20の正面部分の中間点と横軸A-Aがパンティー20の左側面と交差する点とから等距離にあり、かつ、70Fの第二のパターンは、パンティー20の正面部分の中間点と横軸A-Aがパンティー20の右側面と交差する点とから等距離にある。パンティー20はさらに、隆起した突起物70Rのパターンを横軸A-Aのパンティー後方の背面に含むことができ、70Rの第一のパターンは、パンティー20の背部の中間点と横軸A-Aがパンティー20の左側面と交差する点とから等距離にあり、かつ、70Rの第二のパターンは、パンティー20の背部の中間点と横軸A-Aとパンティー20の右側面が交差する点とから等距離にある。予防装置10のその他の態様は、6つを上回る、または6つ未満の、隆起した突起物のパターンを含むことができることが理解されよう。
【００２１】
隆起した突起物70S、70F、70Rは、パンティー20の内部に向かって内側方向に突出し、かつ、パンティー20の外側部分に、対応する凹所をもたらす。隆起した突起物70S、70F、70Rは好ましくは円形であり、かつ、使用者が不快感を生じることを回避できる程度の小ささである。例えば、隆起した突起物70S、70F、70Rは、半径約1/8インチ（3.18mm）および高さ約1/16インチ（1.59mm）であってもよい。
【００２２】
パンティー20が使用構造（すなわち、使用者がパンティー20を装用している構造）へと動いた時に、造形部分80がウエストバンド45の背面部分の中心に沿って形をなすように、パンティー20の形状を構成することができる。すなわち、図3に示すように、パンティー20の背面部分は、使用構造において見ることができる円形の臀部部分、および臀部部分上方のパンティー20上部に配置されたウエストバンド45を含むことができ、造形部分はウエストバンド45上に配置されている。造形部分80（図3および図5に示す）は、使用者の背部の形状に合致するように内側に曲線を描くよう構成されており、これにより、パンティー20の適合性が改善され、かつ使用者の快適性が向上される。造形部分80はパンティー20から余分な構造を除去し、それによって、パンティー20が使用者の身体の形状に合致することが可能になり、かつ、使用者がパンティー20を装用した場合に、パンティー20が、ぶかぶかで視覚的に許容しがたい外観を示すことを回避する。
【００２３】
パンティー20は、快適性および使いやすさを促進するために、小袋30よりも厚くてもよい。薄い小袋30は目立たず、かつ、厚い小袋を用いるよりも強い性的感度を使用者および男性パートナーが体験することができる。厚いパンティー20は、薄い小袋30よりも重厚な形状を提供し、かつ、使用者がパンティ20を容易に取り扱うことおよび快適に装用することを可能にする。例えば、パンティーの厚さは14〜18mil（0.36〜0.46mm）であってよく、小袋の厚さは8〜10mil（0.20〜0.25mm）であってよい。そのような場合、パンティーと小袋の厚さの比は、実質的に約2:1となる。より好ましくは、パンティーの厚さは、ある態様において14〜16mil（0.36〜0.41mm）、または15〜18mil（0.39〜0.46mm）であってよい。小袋30は、ラテックスなどの2層の材料を含んでもよい。
【００２４】
以下、図6〜図10に関連して、本発明による予防装置の製造法について記載する。予防装置10は好ましくは鋳造物として形成される。鋳造（または成形）工程は、鋳造物の形状を形づくるための型枠90（図7〜図9に示す）を提供する段階を含む。型90は、パンティー鋳造物を製造するよう構成された部分100、および小袋鋳造物を製造するよう構成された部分110を含む。鋳造段階を以下に記載し、工程の一つの態様の説明例を図10に提供する。
【００２５】
型90をまず、部分100および110が凝集剤中に沈むまで第一の凝集剤に浸漬する。第一の凝集剤は、例えば、重壁（heavy wall）凝集剤でもよい。鋳造物材料（例えばラテックス）が第一の凝集剤に付着して重い（または厚い）壁を形成するように、第一の凝集剤が配合される。第一の凝集剤の温度は、例えば、華氏135度（330K）である。型90を第一の凝集剤から取り出して、例えば華氏212度（373K）で約2分間の乾燥工程に供する。次に型90を、部分110だけが沈むまで、第二の凝集剤に浸漬する。第二の凝集剤は、部分110上に第一の凝集剤を覆う被膜を形成する。第二の凝集剤は例えば、軽壁（light wall）凝集剤でもよい。鋳造物材料（例えばラテックス）が第二の凝集剤に付着して軽い（または薄い）壁を形成するように、第二の凝集剤が配合される。第二の凝集剤の温度は、例えば、華氏130度（327K）である。型90を第二の凝集剤から取り出して、例えば華氏212度（373K）で2分間の乾燥工程に供する。型90を次に、部分100および110がラテックス中に沈むまで、初回のラテックスに浸漬する。ラテックスの温度は、例えば室温（すなわち、華氏72度/295K）である。型90をラテックスから取り出して、例えば華氏212度（373K）で2分間の乾燥工程に供する。型90を、部分110だけが沈むまで、ラテックスに2回目に浸漬するが、ここでもラテックスは室温である。部分110を、コンドーム製造用の業界基準に従って、ラテックスに2回目に浸漬する。第二のラテックス浸漬は、鋳造物の袋部分に微少な穴が形成されることを妨げることにより、鋳造物の信頼性を改善する。型90をラテックスから取り出し、例えば華氏212度（373K）で2分間の乾燥工程に供する。
【００２６】
凝集剤およびラテックス浸漬が完了した後、型90を浸出工程に供する。浸出工程（または浸出浸漬）により、ラテックスから不純物が取り除かれる。例えば、浸出工程は、型90を熱水に浸漬する段階を含んでもよい。この浸出浸漬を、例えば華氏130度（327K）で20分間続けることができる。型90は次に、例えば華氏212度（373K）で30分間の硬化段階を受け、その後冷却される。ラテックスを固めるラテックス硬化は、例えば型90を高温オーブン中に置くことにより、行ってもよい。冷却されたラテックス鋳造物を型90から取り出す前に、型90からの鋳造物の取り出しを補助するために鋳造物部分へ粉末を適用する。例えば、型からの鋳造物の剥離を可能にするために、型90の上部の鋳造物の外側部分に粉末をまくことができる。必要に応じて、型90から鋳造物を取り出すのに伴って追加の粉末を鋳造物に（例えば鋳造物の内側部分または外側部分に）加えることができる。完成した鋳造物を、任意の従来の剥離方法を用いて、型90から取り出すことができる。例えば、鋳造物は、完成した鋳造物を型90から剥離することによってまたはエアストリップ法（air stripping）によって、手作業で取り出すことができる。一層のパンティー部分および二層の小袋部分を有する鋳造物を、鋳造工程によって製造することができる。
【００２７】
型90は、パンティー鋳造物を製造するように構成された型90部分に配置された複数のくぼみDを含むことができる。複数の隆起した突起物がパンティー鋳造物上に形成されるよう、くぼみDは、型が浸漬される時にラテックスの流れを受けるよう構成される。例えば、くぼみDは、直径約1/8インチ（3.2mm）および深さ約1/16インチ（1.59mm）の球状のへこみを含んでもよい。
【００２８】
予防装置10のもう一つの態様を図5に示す。本予防装置10は、図1〜図3の予防装置10に類似しているが、図5に見られるるように、予防装置10の小袋30は、股部分50上のより後方に配置されている。予防装置10が使用者により装用された時、小袋30は使用者の肛門腔に実質的に一致する。小袋30を反転構造へと動かし、使用者の肛門腔へ挿入することができる。挿入された構造において、小袋30は、使用者と男性パートナー間の性交中に男性パートナーのペニスを受け入れるよう適合化されている。使用者と男性パートナーの間で体液が交換されないように、小袋30は、防壁機能を果たすよう構成されている。本態様によると、パンティー20はパンティー20の前面部分に男性使用者のペニスを収容するための開口部（図示せず）を任意で含んでもよい。
【００２９】
本発明のその他の態様は、本明細書において開示された本発明の明細書および実施の検討により当業者には明らかであろう。本明細書および実施例は単に例示のみとして見なされることが意図される。
【図面の簡単な説明】
【００３０】
【図１】パンティーおよび小袋を示す、本発明による予防装置の一つの態様の斜視図である。
【図２】女性使用者に着用されたパンティーおよび使用者の膣腔内に挿入された小袋を示す、図1の態様の正面斜視図である。
【図３】図1の態様の側面図である。
【図４】折りたたみ構造にある小袋を示す、図1の態様の側面図である。
【図５】本発明による予防装置のもう一つの態様の斜視図である。
【図６】本発明の一つの態様による隆起した突起物のパターンを示す概略図である。
【図７】本発明の一つの態様による型枠の側面立面図である。
【図８】本発明の一つの態様による型枠の正面立面図である。
【図９】本発明の一つの態様による型枠の上面平面図である。
【図１０】本発明の一つの態様による鋳造工程を示すフローチャートである。
【図１】
2007512887.tif 000004
【図２】
2007512887.tif 000005
【図３】
2007512887.tif 000006
【図４】
2007512887.tif 000007
【図５】
2007512887.tif 000008
【図６】
2007512887.tif 000009
【図７】
2007512887.tif 000010
【図８】
2007512887.tif 000011
【図９】
2007512887.tif 000012
【図１０】
2007512887.tif 000013
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
股部分を備えたパンティー(20)；および
股部分に配置された細長い小袋(30)
を含む予防装置(10)であって、小袋がその全体にわたって実質的に単一の厚さであること、および、パンティーの厚さ対小袋の厚さの比が実質的に2:1であることを特徴とする、予防装置。
【請求項２】
パンティーの厚さが約14〜18mil（0.36〜0.46mm）である、請求項1記載の予防装置。
【請求項３】
小袋が少なくとも二層のラテックスを含む、請求項1または2記載の予防装置。
【請求項４】
小袋の厚さが約8〜10mil（0.20〜0.25mm）である、請求項1〜3のいずれか一項記載の予防装置。
【請求項５】
パンティーおよび小袋が一体的に形成される、前記請求項のいずれか一項記載の予防装置。
【請求項６】
予防装置(10)を製造するための方法であって、以下の段階を含む方法:
パンティー鋳造物（casting）を製造するよう構成された部分(100)および小袋鋳造物を製造するよう構成された部分(110)を有する、鋳造物用の型(90)を提供する段階であって、パンティー鋳造物が股部分を有し、かつ小袋鋳造物がパンティー鋳造物の股部分に配置されている、段階；
小袋鋳造物部分およびパンティー鋳造物部分が第一の凝集剤中に沈むまで型を第一の凝集剤に浸漬する段階；
小袋鋳造物部分が第二の凝集剤中に沈むまで型を第二の凝集剤に浸漬する段階；
小袋鋳造物部分およびパンティー鋳造物部分がラテックス中に沈むまで型をラテックスに浸漬する1回目の段階；
小袋鋳造物部分がラテックス中に沈むまで型をラテックスに浸漬する2回目の段階；ならびに
型から鋳造物を取り出す段階。
【請求項７】
型を第一の凝集剤に浸漬する段階の後に、第一の凝集剤から型を取り出して、型を乾燥段階に供する段階をさらに含む、請求項6記載の方法。
【請求項８】
型を第二の凝集剤に浸漬する段階の後に、第二の凝集剤から型を取り出して、型を乾燥段階に供する段階をさらに含む、請求項6または7記載の方法。
【請求項９】
型をラテックスに浸漬する1回目の段階の後に、ラテックスから型を取り出して、型を乾燥段階に供する段階をさらに含む、請求項6〜8のいずれか一項記載の方法。
【請求項１０】
型をラテックスに浸漬する2回目の段階の後に、ラテックスから型を取り出して、型を乾燥段階に供する段階をさらに含む、請求項6〜9のいずれか一項記載の方法。
【請求項１１】
第一の凝集剤が重壁凝集剤である、請求項6〜10のいずれか一項記載の方法。
【請求項１２】
第二の凝集剤が軽壁凝集剤である、請求項6〜11のいずれか一項記載の方法。
【請求項１３】
型を浸出工程に供する段階をさらに含む、請求項6〜12のいずれか一項記載の方法。
【請求項１４】
型を硬化段階に供する段階をさらに含む、請求項6〜13のいずれか一項記載の方法。
【請求項１５】
鋳造物の外側部分に粉末を置く段階をさらに含む、請求項6〜14のいずれか一項記載の方法。
【請求項１６】
鋳造物の内側部分へ粉末を導入する段階をさらに含む、請求項6〜15のいずれか一項記載の方法。
【請求項１７】
第一の凝集剤および第二の凝集剤が液体を含む、請求項6〜16のいずれか一項記載の方法。
【請求項１８】
ラテックスが液体を含む、請求項6〜17のいずれか一項記載の方法。
【請求項１９】
第一の凝集剤および第二の凝集剤がラテックスの付着を促進するよう配合されている、請求項6〜18のいずれか一項記載の方法。
【請求項２０】
浸出工程が、型を水中に浸漬する段階を含む、請求項13記載の方法。
【請求項２１】
型が、パンティー鋳造物を製造するよう構成された型の部分に配置された複数のくぼみ(D)を含み、かつ、複数の隆起した突起物がパンティー鋳造物上に形成されるように、くぼみが、型が浸漬された時にラテックスの流れを受けるよう構成されている、請求項6〜20のいずれか一項記載の方法。
【請求項２２】
股部分(50)を備えたパンティー(20)；および
股部分に配置された細長い小袋(30)
を含む予防装置(10)であって、パンティーの内側に、使用者におけるパンティーの位置あわせを容易にするために配置された複数の隆起した突起物(70S、70R、70F)を有し、隆起した突起物が、パンティーの股部分よりもパンティーのウエストバンドの方により近く配置されていることを特徴とする、予防装置。
【請求項２３】
隆起した突起物が円形である、請求項22記載の予防装置。
【請求項２４】
隆起した突起物が集まってパターンを形成する、請求項22または23記載の予防装置。
【請求項２５】
パンティーが横軸を含み、かつ、パンティーが、横軸に沿ってパンティーの第一の側面に配置された隆起した突起物(70S)の第一のパターン、および、横軸に沿ってパンティーの第二の側面に配置された隆起した突起物(70S)の第二のパターンを有する、請求項22〜24のいずれか一項記載の予防装置。
【請求項２６】
パンティーが横軸を有し、かつ、パンティーが、横軸前方のパンティ正面に配置された隆起した突起物(70F)の第一および第二の正面パターンを有する、請求項22〜25のいずれか一項記載の予防装置。
【請求項２７】
隆起した突起物の第一の正面パターンが、正面部分の中間点と横軸がパンティーの第一の側面と交差する点とから等距離に配置され、かつ、隆起した突起物の第二の正面パターンが、正面部分の中間点と横軸がパンティーの第二の側面と交差する点とから等距離に配置されている、請求項26記載の予防装置。
【請求項２８】
パンティーが横軸を有し、かつ、パンティーが、横軸後方のパンティー背面に配置された隆起した突起物(70R)の第一および第二の背面パターンを有する、請求項22〜27のいずれか一項記載の予防装置。
【請求項２９】
隆起した突起物の第一の背面パターンが、背面部分の中間点と横軸がパンティの第一の側面と交差する点とから等距離に配置され、かつ、隆起した突起物の第二の背面パターンが、背面部分の中間点と横軸がパンティーの第二の側面と交差する点とから等距離に配置される、請求項28記載の予防装置。
【請求項３０】
パンティーおよび小袋が一体的に形成される、請求項22〜29のいずれか一項記載の予防装置。
【請求項３１】
パンティの厚さが小袋の厚さを上回る、請求項22〜30のいずれか一項記載の予防装置。
【請求項３２】
予防装置が、造形部分(80)を有する背面部を有し、かつ、造形部分が、パンティーが使用構造にある場合に使用者の背部の形状に合致するように内側に曲線を描くよう構成されている、請求項22〜31のいずれか一項記載の予防装置。
【請求項３３】
股部分(50)を含むパンティー(20)；および
股部分に配置された細長い小袋(30)
を含む予防装置(10)であって、小袋が縦ひだ(60)を含むこと、ならびに、パンティーおよび小袋が一体的に形成されていることを特徴とする、予防装置。
【請求項３４】
股部分(50)を含むパンティー(20)；および
股部分に配置された細長い小袋(30)
を含む予防装置(10)であって、小袋が縦ひだ(60)を含み、小袋の外面が実質的に平らになるように縦ひだが内側に折りたたまれることを特徴とする、予防装置。
【請求項３５】
小袋が少なくとも4本の縦ひだを含む、請求項33または34記載の予防装置。
【請求項３６】
縦ひだが小袋に沿って縦方向に折りたたまれるよう構成されている、請求項33、34、または35記載の予防装置。
【請求項３７】
小袋が、折りたたみ構造から開いた構造へと拡張できる、請求項33〜36のいずれか一項記載の予防装置。
【請求項３８】
小袋が、開いた構造から拡張した構造へと拡張できる、請求項33〜37のいずれか一項記載の予防装置。
【請求項３９】
小袋が、開いた構造から反転構造へと動くよう構成されている、請求項33〜38のいずれか一項記載の予防装置。
【請求項４０】
開いた構造にある小袋が股部分から外側に拡張し、かつ、反転構造にある小袋が股部分から内側に拡張する、請求項39記載の予防装置。
【請求項４１】
パンティーの厚さが小袋の厚さを上回る、請求項33〜40のいずれか一項記載の予防装置。
【請求項４２】
パンティーの内部が、使用者におけるパンティーの位置あわせを容易にするために配置された複数の隆起した突起物を含む、請求項33〜41のいずれか一項記載の予防装置。
【請求項４３】
予防装置が、造形部分(80)を含む背面部分を含み、かつ、造形部分が、パンティーが使用構造にある場合に使用者の背部の形状に合致するように内側に曲線を描くよう構成されている、請求項33〜42のいずれか一項記載の予防装置。
【請求項４４】
小袋部分が、小袋が反転構造にある場合に使用者の膣腔内部に配置されるよう構成されている、前記請求項のいずれか一項記載の予防装置。
【請求項４５】
小袋部分(30')が、小袋が反転構造にある場合に使用者の肛門腔内部に配置されるよう構成されている、前記請求項のいずれか一項記載の予防装置(10')。
【請求項４６】
パンティーが、使用者の臀部および性域を実質的に覆うよう構成されている、前記請求項のいずれか一項記載の予防装置。
【請求項４７】
ラテックスからなる、前記請求項のいずれか一項記載の予防装置。
【請求項４８】
高分子材料からなる、前記請求項のいずれか一項記載の予防装置。
【国際調査報告】
2007512887.tif 000014
2007512887.tif 000015
2007512887.tif 000016
2007512887.tif 000017
2007512887.tif 000018